(57)【要約】【課題】送信側で電力供給が停止する事態が発生した場合でも、受信側で正常な信号受信を行う。【解決手段】実施形態による送信システムは、複数の放送信号出力装置と、周波数同期装置と、位相同期装置と、送信信号出力装置と、を備える。複数の放送信号出力装置は、それぞれ、フレーム同期を行った複数の放送信号を出力する。周波数同期装置は、複数の放送信号の周波数同期を行うための周波数同期信号を複数の放送信号出力装置に出力する。位相同期装置は、複数の放送信号の位相同期を行うための位相同期信号を複数の放送信号出力装置に出力する。送信信号出力装置は、複数の放送信号に基づく１つの送信信号を出力する。送信信号出力装置は、送信信号出力装置に電力が供給されている場合、複数の放送信号のうちいずれか１つを送信信号として出力し、送信信号出力装置に電力が供給されていない場合、複数の放送信号の合成信号を送信信号として出力する。【選択図】図１
2018050118.tif 000002
【特許請求の範囲】
【請求項１】
フレーム同期を行った複数の放送信号を出力する複数の放送信号出力装置と、
前記複数の放送信号の周波数同期を行うための周波数同期信号を前記複数の放送信号出力装置に出力する周波数同期装置と、
前記複数の放送信号の位相同期を行うための位相同期信号を前記複数の放送信号出力装置に出力する位相同期装置と、
前記複数の放送信号に基づく１つの送信信号を出力する送信信号出力装置と、を備え、
前記送信信号出力装置は、前記送信信号出力装置に電力が供給されている場合、前記複数の放送信号のうちいずれか１つを前記送信信号として出力し、前記送信信号出力装置に電力が供給されていない場合、前記複数の放送信号の合成信号を前記送信信号として出力する、送信システム。
【請求項２】
前記送信信号出力装置は、
前記複数の放送信号が入力される複数の入力部と、
前記送信信号が出力される出力部と、
前記複数の入力部と前記出力部とを接続する複数の接続ラインと、
前記複数の接続ラインにそれぞれ１つずつ接続され、前記送信信号出力装置に供給される電力に基づくバイアス電力が供給された場合に、前記複数の接続ラインを接地する複数のダイオードと、を備える、請求項１に記載の送信システム。
【請求項３】
前記位相同期装置は、
前記複数の放送信号を混合したミキサ信号を出力するミキサと、
前記ミキサ信号を前記位相同期信号として前記複数の放送信号出力装置に分配して出力する分配器と、を備える、請求項１または２に記載の送信システム。
【発明の詳細な説明】
【技術分野】
【０００１】
本発明の実施形態は、送信システムに関する。
【背景技術】
【０００２】
従来、放送波などの信号を送受信するシステムが知られている。このようなシステムでは、信頼性を向上させるため、送信側／受信側に、現用機および予備機といった複数の送信機／受信機を設けて冗長化を図る場合がある。
【先行技術文献】
【特許文献】
【０００３】
【特許文献１】特開平５−３３５９２１号公報
【発明の概要】
【発明が解決しようとする課題】
【０００４】
上記のような技術では、たとえば、送信側で電力供給が停止する事態が発生した場合に、受信側で正常な信号受信ができないことがある。
【課題を解決するための手段】
【０００５】
実施形態による送信システムは、複数の放送信号出力装置と、周波数同期装置と、位相同期装置と、送信信号出力装置と、を備える。複数の放送信号出力装置は、それぞれ、フレーム同期を行った複数の放送信号を出力する。周波数同期装置は、複数の放送信号の周波数同期を行うための周波数同期信号を複数の放送信号出力装置に出力する。位相同期装置は、複数の放送信号の位相同期を行うための位相同期信号を複数の放送信号出力装置に出力する。送信信号出力装置は、複数の放送信号に基づく１つの送信信号を出力する。送信信号出力装置は、送信信号出力装置に電力が供給されている場合、複数の放送信号のうちいずれか１つを送信信号として出力し、送信信号出力装置に電力が供給されていない場合、複数の放送信号の合成信号を送信信号として出力する。
【図面の簡単な説明】
【０００６】
【図１】図１は、実施形態による送信システムを用いた放送システムの全体構成を示した例示的なブロック図である。
【図２】図２は、実施形態による送信システムの送信切替装置に設けられる切替器の概略的な回路構成を示した例示図である。
【図３】図３は、実施形態による送信システムの送信切替装置に設けられる切替器の動作を説明するための例示図である。
【発明を実施するための形態】
【０００７】
以下、実施形態を図面に基づいて説明する。
【０００８】
図１は、実施形態による送信システム１００を用いた放送システムの全体構成を示した例示的なブロック図である。
【０００９】
図１に示すように、実施形態による放送システムは、送信システム１００と、受信システム２００とを備える。送信システム１００は、複数（図１の例では２つ）の送信装置１１０と、周波数同期装置１２０と、送信切替装置１３０とを備える。なお、送信装置１１０は、「放送信号出力装置」の一例であり、送信切替装置１３０は、「送信信号出力装置」の一例である。また、受信システム２００は、複数（図１の例では２つ）の受信装置２１０と、分配器２２０とを備える。
【００１０】
なお、以下では、送信システム１００と受信システム２００との間の通信方式が無線通信である構成を例示するが、実施形態の技術は、送信システム１００と受信システム２００との間の通信方式が有線通信である構成にも適用可能である。また、以下では、送信装置１１０および受信装置２１０の個数がともに２つである構成を例示するが、実施形態の技術は、送信装置１１０および受信装置２１０の個数が３つ以上である構成にも適用可能である。
【００１１】
図１の例において、２つの送信装置１１０は、一方が現用機として使用され、他方が予備機として使用される。これら２つの送信装置１１０は、フレーム同期を行った複数（２つ）の放送信号を出力する。実施形態では、送信装置１１０は、変調器１１１と、送信変換器１１２とを備える。
【００１２】
変調器１１１は、外部（図示しない撮影スタジオなど）から入力されるベースバンド信号に対して変調処理を行い、変調後の信号を送信変換器１１２に出力する。実施形態では、２つの変調器１１１は、変調処理を行うタイミングを互いに通知し合うように構成されている。これにより、変調器１１１から出力される信号は、フレーム同期が施されたものとなる。
【００１３】
送信変換器１１２は、変調器１１１から入力される信号に対して周波数変換を行い、周波数変換後の信号を送信切替装置１３０に出力する。たとえば、送信変換器１１２は、変調器１１１から入力される信号の周波数をマイクロ波レベルまで上げる。ここで、実施形態では、周波数同期を行うための周波数同期信号（所定の基準信号）を変調器１１１に出力する周波数同期装置１２０が設けられている。これにより、２つの送信変換器１１２は、周波数同期装置１２０から入力される基準信号に基づいて、周波数同期が施された信号を送信切替装置１３０に出力する。
【００１４】
送信切替装置１３０は、２つの送信切替装置１３０から入力される２つの放送信号に基づく１つの送信信号（図１の例では無線信号）を出力する。より具体的に、送信切替装置１３０は、送信切替装置１３０に電力が供給されている場合、２つの放送信号のうちいずれか１つを送信信号として出力し、送信切替装置１３０に電力が供給されていない場合、２つの放送信号の合成信号を送信信号として出力する切替器１３１を備える。
【００１５】
図２は、実施形態による送信システム１００の送信切替装置１３０に設けられる切替器１３１の概略的な回路構成を示した例示図である。
【００１６】
図２に示すように、切替器１３１は、２つの入力部ＩＮ１およびＩＮ２と、１つの出力部ＯＵＴと、２つの接続ラインＬ１およびＬ２と、２つのＰＩＮダイオードＤ１およびＤ２とを備える。
【００１７】
入力部ＩＮ１およびＩＮ２は、２つの送信切替装置１３０から入力される２つの放送信号の入力を受け付ける。出力部ＯＵＴは、入力部ＩＮ１およびＩＮ２を介して入力される２つの放送信号に基づく上記の送信信号を出力する。接続ラインＬ１およびＬ２は、入力部ＩＮ１およびＩＮ２と、出力部ＯＵＴとを接続する。ＰＩＮダイオードＤ１およびＤ２は、それぞれ、接続ラインＬ１およびＬ２に接続されている。ＰＩＮダイオードＤ１およびＤ２は、それぞれ、送信切替装置１３０に供給される電力に基づくバイアス電力が供給された場合に、接続ラインＬ１およびＬ２を接地する。
【００１８】
図３は、実施形態による送信システム１００の送信切替装置１３０に設けられる切替器１３１の動作を説明するための例示図である。
【００１９】
図３に示すように、ＰＩＮダイオードＤ１にバイアス電力が供給され、ＰＩＮダイオードＤ２にバイアス電力が供給されない場合、接続ラインＬ１は接地され、接続ラインＬ２は接地されない。したがって、この場合、出力部ＯＵＴは、入力部ＩＮ２から入力される１つの放送信号を送信信号として出力する。
【００２０】
また、ＰＩＮダイオードＤ１にバイアス電力が供給されず、ＰＩＮダイオードＤ２にバイアス電力が供給される場合、接続ラインＬ１は接地されず、接続ラインＬ２は接地される。したがって、この場合、出力部ＯＵＴは、入力部ＩＮ１から入力される１つの放送信号を送信信号として出力する。
【００２１】
ここで、上記のように、バイアス電力は、送信切替装置１３０に供給される電力に基づくものである。したがって、送信切替装置１３０に電力が供給されない場合には、ＰＩＮダイオードＤ１およびＤ２の両方ともにバイアス電力が供給されない。この場合、接続ラインＬ１およびＬ２は両方とも接地されないため、出力部ＯＵＴは、入力部ＩＮ１およびＩＮ２から入力される２つの放送信号の合成信号を送信信号として出力する。
【００２２】
ところで、上記のような放送システムでは、送信システム１００から出力される送信信号を、受信システム２００側で正常に受信（復調）する必要がある。したがって、実施形態では、２つの放送信号の合成信号が送信信号として出力される場合においても元の放送信号の情報を維持するために、２つの放送信号のアナログ的な波形を一致させる必要がある。つまり、実施形態では、２つの放送信号に対して、フレーム同期および周波数同期を行うのみならず、位相同期も行う必要がある。
【００２３】
そこで、図１に戻り、実施形態では、２つの放送信号の位相同期を行うための位相同期信号を２つの送信装置１１０に出力する位相同期装置１３２が設けられている。図１の例では、位相同期装置１３２が、送信切替装置１３０内に設けられている。
【００２４】
位相同期装置１３２は、ミキサ１３２ａと、分配器１３２ｂとを備える。ミキサ１３２ａは、２つの放送信号を混合したミキサ信号を出力する。また、分配器１３２ｂは、ミキサ信号を位相同期信号として２つの送信装置１１０に分配して出力する。これにより、ミキサ信号によって、２つの放送信号の位相差が２つの送信装置１１０にフィードバックされ、位相の揃った２つの放送信号が２つの送信装置１１０から出力される。この結果、２つの放送信号が合成されたとしても、出力レベルが倍になる（３ｄＢ増加する）だけで、元の放送信号の情報をそのまま保持した合成信号が出力される。
【００２５】
このように、実施形態による送信切替装置１３０は、自身に電力が供給されているか否かに関わらず、２つの送信装置１１０から出力される２つの放送信号に基づく１つの送信信号（すなわち、２つの放送信号のうちのいずれか一方、または当該２つの放送信号の合成信号）を出力する。
【００２６】
なお、受信システム２００の分配器２２０は、送信システム１００が送信した送信信号を受信し、受信した送信信号を２つの受信装置２１０に分配して出力する。
【００２７】
受信装置２１０は、受信変換器２１１と、復調器２１２とを備える。受信変換器２１１は、分配器２２０から入力される信号に周波数変換を行い、周波数変換後の信号を復調器２１２に出力する。そして、復調器２１２は、受信変換器２１１から入力される信号を復調する。たとえば、受信変換器２１１は、分配器２２０から入力される信号の周波数（マイクロ波レベルの周波数）を、復調器２１２にとって復調しやすいＩＦ（中間周波数）帯まで下げる。
【００２８】
以上説明したように、実施形態では、２つの送信装置から出力される２つの放送信号に対してフレーム同期、周波数同期、および位相同期が行われる。そして、送信切替装置１３０は、自身に電力が供給されている場合、２つの放送信号のうちいずれか一方を送信信号として出力し、自身に電力が供給されていない場合、２つの放送信号の合成信号を送信信号として出力する。これにより、送信側で送信切替装置１３０への電力供給が停止する事態が発生した場合であっても、受信側で正常に復調可能な信号（フレーム同期、周波数同期、および位相同期が施された２つの放送信号の合成信号）が送信側から出力されるので、受信側で正常な信号受信を行うことができる。
【００２９】
以上、本発明の実施形態を説明したが、上記実施形態はあくまで一例であって、発明の範囲を限定することは意図していない。上記実施形態およびその変形は、様々な形態で実施されることが可能であり、発明の要旨を逸脱しない範囲で、種々の省略、置き換え、変更を行うことができる。これらの省略、置き換え、変更は、発明の範囲や要旨に含まれるとともに、特許請求の範囲に記載された発明とその均等の範囲に含まれる。
【符号の説明】
【００３０】
１００  送信システム
１１０  送信装置（放送信号出力装置）
１２０  周波数同期装置
１３０  送信切替装置（送信信号出力装置）
１３２  位相同期装置
１３２ａ  ミキサ
１３２ｂ  分配器
Ｄ１、Ｄ２  ＰＩＮダイオード
ＩＮ１、ＩＮ２  入力部
Ｌ１、Ｌ２  接続ライン
ＯＵＴ  出力部
【図１】
2018050118.tif 000003
【図２】
2018050118.tif 000004
【図３】
2018050118.tif 000005